【手続補正書】
【提出日】平成16年1月14日(2004.1.14)
【手続補正１】
【補正対象書類名】明細書
【補正対象項目名】全文
【補正方法】変更
【補正の内容】
【発明の名称】表示装置
【特許請求の範囲】
【請求項１】一対の基板間に形成される放電画素セルでの放電を制御して表示を行う交流型プラズマディスプレイパネルであって、
前記各放電画素セルでの放電維持期間において、一方の基板に形成された一対の維持電極に、この一対の維持電極間で交互に極性が反転するように印加される維持パルスの、前記一対の維持電極における瞬時平均電圧がほぼ一定であることを特徴とする交流型プラズマディスプレイパネル。
【請求項２】一対の基板間に形成される放電画素セルでの放電を制御して表示を行う交流型プラズマディスプレイパネルであって、
前記各放電画素セルでの放電維持期間において、一方の基板に形成された一対の維持電極に、この一対の維持電極間で交互に極性が反転するように印加される維持パルスのうち、一方の維持電極に印加する維持パルスの立ち上がりタイミングと、他方の維持電極に印加する維持パルスの立ち下がりタイミングが一致することを特徴とする交流型プラズマディスプレイパネル。
【請求項３】一対の基板間に複数の画素を形成し、各画素を制御して所望の表示を行うディスプレイパネルを有する表示装置であって、
内部に前記ディスプレイパネルと、前記ディスプレイパネルを駆動するための駆動回路とが配置され、前記ディスプレイパネルの表示面側が開口した導電シールド筐体と、
前記導電シールド筐体内の前記ディスプレイパネルの非表示面側に配置された前記駆動回路と前記ディスプレイパネルとの間に配置された導電性材と、を有し、
前記導電性材と、前記導電シールド筐体とを電気的に接続して、前記駆動回路を電磁シールドすることを特徴とする表示装置。
【請求項４】前記駆動回路と前記ディスプレイパネルとを電気的に接続する信号配線とグランド電位を有する導電部との間に静電容量を有することを特徴とする請求項３に記載の表示装置。
【請求項５】前記信号配線上に絶縁層を形成し、前記絶縁層上に導電層を形成し、前記導電層をグランド電位に強制することを特徴とする請求項４に記載の表示装置。
【請求項６】前記導電層は、接続手段によって前記導電シールド筐体に接続し、グランド電位に強制することを特徴とする請求項５に記載の表示装置。
【請求項７】前記信号配線の上下両面を絶縁層で覆い、該各絶縁層上にそれぞれ導電層を形成し、該各導電層をグランド電位に強制することを特徴とする請求項４に記載の表示装置。
【請求項８】前記信号配線の上下両面を絶縁層で覆い、該各絶縁層上にそれぞれ導電層を形成し、
該導電層の内、前記駆動回路と前記ディスプレイパネルとの間に配置された前記導電性材側に配置される導電層を前記導電性材に接続し、前記導電シールド筐体側に配置される導電層を前記導電シールド筐体に接続することを特徴とする請求項４に記載の表示装置。
【請求項９】前記導電層と、少なくとも前記導電シールド筐体との間に、少なくとも表面が導電性を有する可変形部材が配置され、前記可変形部材によって、前記導電性材と前記導電シールド筐体とを電気的に接続することを特徴とする請求項７又は請求項８のいずれかに記載の表示装置。
【請求項１０】前記駆動回路から、前記導電シールド筐体の外部へ引き出される電源配線及び信号配線の経路にノイズフィルタを挿入すると共に、前記各配線を電磁シールドするためのグランド線の配線経路にインダクタンス成分を付加することを特徴とする請求項３〜９のいずれか一つに記載の表示装置。
【請求項１１】前記ディスプレイパネルは、前記一対の基板間に形成される複数の放電画素セルでそれぞれ放電を制御して表示を行う交流型プラズマディスプレイパネルであり、
前記各放電セルでの放電維持期間において、一方の基板に形成された一対の維持電極に、この一対の維持電極間で交互に極性が反転するように印加される維持パルスの、前記一対の維持電極における瞬時平均電圧がほぼ一定であることを特徴とする請求項３〜１０のいずれか一つに記載の表示装置。
【請求項１２】前記ディスプレイの表示面に透明導電層を形成し、前記導電シールド筐体に接続することを特徴とする請求項３〜１１のいずれか一つに記載の表示装置。
【発明の詳細な説明】
【０００１】
【発明の属する技術分野】
この発明は、基板間に複数の画素が形成されたディスプレイパネルを備える表示装置における電磁波妨害（ＥＭＩ：electro magnetic interference）を防止するための構成に関する。
【０００２】
【従来の技術】
隣接して配置される様々な制御回路、或いは通信システムなどに対して、表示装置が発生する電磁波が悪影響を及ぼさないように、従来より、ＥＭＩ対策として、プラズマ表示装置や、その他、多くの表示装置において、電磁シールドが施されている。
【０００３】
図１６は、このようなディスプレイパネルを備えた表示装置１００の断面構造を示している。ディスプレイパネル（以下パネルという）１０は、例えば交流（ＡＣ）型プラズマディスプレイパネル（ＰＤＰ）である。図１６に示すように、表示装置１００を電磁シールドするために、パネル１０及びこのパネル１０を駆動する駆動回路が搭載された駆動回路基板１２を金属製の導電シールド筐体２０内に配置している。なお、この導電シールド筐体２０内において、パネル１０の非表示面側には保持板１５が設けられ、ガラス基板等からなるパネル１０を保持している。また、パネル１０と駆動回路基板１２とは信号配線が形成されたＦＰＣ（flexible printed circuit）等の配線基板１４によって接続されており、この配線基板１４も導電シールド筐体２０内に配置されている。
【０００４】
導電シールド筐体２０によって、パネル１０及びノイズの最大の発生源である駆動回路基板１２の全面を覆えば、確実に電磁シールドすることが可能であるが、図１４のような表示装置では、パネル１０の表示面を導電シールド筐体２０で覆うことはできない。そこで、表示面については、パネル１０の表示面を透明又は半透明の導電フィルタ１８で覆い、導電シールド筐体２０と電気的に接続している。このように、導電シールド筐体２０と導電フィルタ１８とでパネル１０及び駆動回路基板１２を囲み込むことで、表示装置１００外部へ放出される電磁ノイズを遮断している。
【０００５】
【発明が解決しようとする課題】
パネル１０の表示面を覆う上記導電フィルタ１８としては、ガラスやアクリル製フィルタの内面又は外面にＩＴＯ（indium tin oxide）膜やごく薄い銀蒸着膜等の透明導電膜を形成したものや、細い導体線を縦横に細かいピッチで形成したもの、つまり微細な金網を張り付けたもの等が用いられている。
【０００６】
しかしながら、ガラス基板などからなるパネル１０にそれぞれ形成されている電極は、例えば、上記ＰＤＰにおいて、互いに静電容量によって強く結合されている。したがって、高周波的にはこの基板を一枚の電極と考えることができ、各画素の電極に印加される電圧の瞬時的変動が、この基板から高周波ノイズとして放出されやすいという問題がある。
【０００７】
また、ＩＴＯなどの透明導電膜は、導電性であるものの導電シールド筐体２０等の金属材料と比べて電気抵抗値が高く、シールド効果が低いという問題があった。従って、電気抵抗値を低くしてシールド効果を高めるためには透明導電膜を厚くする必要があるが、透明導電膜の膜厚を厚くすると光の透過率が低下するため、ディスプレイの表示輝度やコントラストが低下することとなり、表示品位が低下してしまう。また、厚い透明導電膜を形成するのに時間がかかる、また製造コストの上昇をまねくという問題がある。
【０００８】
さらに、微細な金網を使用した場合には、光透過率が低いことに加え、パネル１０の各画素のドットピッチとの関係で表示面にモアレが発生することがある。このため、このような微細な金網を用いた場合にも、ディスプレイの表示品質の低下がさけられなかった。
【０００９】
この発明は、上記のような問題点を解消するためになされたもので、表示装置において、その表示品質を低下させることなく、確実に電磁波シールドを行える表示装置を得ることを目的とする。
【００１０】
【課題を解決するための手段】
この発明は、一対の基板間に形成される放電画素セルでの放電を制御して表示を行う交流型プラズマディスプレイパネルであって、前記各放電画素セルでの放電維持期間において、一方の基板に形成された一対の維持電極に、この一対の維持電極間で交互に極性が反転するように印加される維持パルスの、前記一対の維持電極における瞬時平均電圧がほぼ一定であることを特徴とするものである。
【００１１】
また、この発明は、一対の基板間に形成される放電画素セルでの放電を制御して表示を行う交流型プラズマディスプレイパネルであって、前記各放電画素セルでの放電維持期間において、一方の基板に形成された一対の維持電極に、この一対の維持電極間で交互に極性が反転するように印加される維持パルスのうち、一方の維持電極に印加する維持パルスの立ち上がりタイミングと、他方の維持電極に印加する維持パルスの立ち下がりタイミングが一致することを特徴とするものである。
【００１２】
また、この発明は、一対の基板間に複数の画素を形成し、各画素を制御して所望の表示を行うディスプレイパネルを有する表示装置であって、内部に前記ディスプレイパネルと、前記ディスプレイパネルを駆動するための駆動回路とが配置され、前記ディスプレイパネルの表示面側が開口した導電シールド筐体と、前記導電シールド筐体内の前記ディスプレイパネルの非表示面側に配置された前記駆動回路と前記ディスプレイパネルとの間に配置された導電性材と、を有し、前記導電性材と、前記導電シールド筐体とを電気的に接続して、前記駆動回路を電磁シールドすることを特徴とするものである。
【００１３】
上記表示装置において、前記駆動回路と前記ディスプレイパネルとを電気的に接続する信号配線とグランド電位を有する導電部との間に静電容量を有することを特徴とする。
【００１４】
上記表示装置において、前記信号配線上に絶縁層を形成し、前記絶縁層上に導電層を形成し、前記導電層をグランド電位に強制することを特徴とする。
【００１５】
前記導電層は、接続手段によって前記導電シールド筐体に接続され、グランド電圧に強制されることを特徴とする。
【００１６】
また、この発明は、上記表示装置において、前記信号配線の上下両面を絶縁層で覆い、該各絶縁層上にそれぞれ導電層を形成し、該各導電層をグランド電位に強制することを特徴とするものである。
【００１７】
上記表示装置において、前記信号配線の上下両面を絶縁層で覆い、該各絶縁層上にそれぞれ導電層を形成し、該導電層の内、前記駆動回路と前記ディスプレイパネルとの間に配置された前記導電性材側に配置される導電層を前記導電性材に接続し、前記導電シールド筐体側に配置される導電層を前記導電シールド筐体に接続することを特徴とする。
【００１８】
前記導電層と、少なくとも前記導電シールド筐体との間に、少なくとも表面が導電性を有する可変形部材が配置され、前記可変形部材によって、前記導電性材と前記導電シールド筐体とを電気的に接続することを特徴とする。
【００１９】
また、この発明は、前記駆動回路から、前記導電シールド筐体の外部へ引き出される電源配線及び信号配線の経路にノイズフィルタを挿入すると共に、前記各配線を電磁シールドするためのグランド線の配線経路にインダクタンス成分を付加することを特徴とするものである。
【００２０】
更に、この発明は、前記ディスプレイパネルは、前記一対の基板間に形成される複数の放電画素セルでそれぞれ放電を制御して表示を行う交流型プラズマディスプレイパネルであり、前記各放電セルでの放電維持期間において、一方の基板に形成された一対の維持電極に、この一対の維持電極間で交互に極性が反転するように印加される維持パルスの、前記一対の維持電極における瞬時平均電圧がほぼ一定であることを特徴とするものである。
【００２１】
また、この発明は、前記ディスプレイの表示面に透明導電層を形成し、前記導電シールド筐体に接続することを特徴とするものである。
【００２２】
【発明の実施の形態】
以下、この発明の好適な実施の形態について、図面を用いて説明する。
【００２３】
実施の形態１．
図１は、実施の形態１の表示装置の断面構成を示し、図２は、表示装置を表示面から見た場合の概略構成を示している。
【００２４】
ＰＤＰ等のパネル１０と、パネル１０を駆動する各種駆動回路が搭載された駆動回路基板１２とは金属製の導電シールド筐体２０によって取り囲まれている。なお、導電シールド筐体２０は接地されてグランド電圧となっている。パネル１０の非表示面側には保持板１６が配置されており、ガラス基板などからなるパネル１０を保持している。そして、駆動回路基板１２は、この保持板１６の後方に配置されている。駆動回路基板１２には、ＰＤＰの駆動信号を発生させるための高電圧スイッチング回路、コントロール機能等を備えたロジック回路、映像信号処理回路、電源回路等の各種回路の一部或いは全部が駆動回路として搭載されている。
【００２５】
パネル１０と、駆動回路基板１２とはＦＰＣ等を用いた配線基板２５によって接続されており、この配線基板２５は、導電シールド筐体２０内の側面と一部対向するように折り曲げられている。
【００２６】
上記保持板１６としては、導電性材、例えば金属材料（Ａｌなど）を用いている。更に、図２に示すようにパネル１０と駆動回路基板１２とを接続する複数の配線基板２５の間隙部にはそれぞれ接続手段２２が設けられ、保持板１６と上記導電シールド筐体２０とを電気的に接続している。
【００２７】
このように、パネル１０と駆動回路基板１２との間に導電性材からなる保持板１６を配置し、この保持板１６を接続手段２２によって上記導電シールド筐体２０に接続することで、ノイズ発生源である駆動回路基板１２を導電シールド筐体２０、保持板６及び接続手段２２によって取り囲み、駆動回路基板１２の電磁シールドを形成している。
【００２８】
上記接続手段２２相互間の接続ピッチ長はできる限り短くすることが好ましい。具体的には、ＥＭＩ対策上問題となる周波数帯域の波長λの１／６以下程度のピッチで接続することが好ましい。接続手段２２の材料としては、例えば、被覆導線や網状の導線、或いは、コンタクトフィンガー、金属板など様々な導電性材料を使用することができる。保持板１６及び導電シールド筐体２０と、接続手段２２との接続は、電気的な導電が妨げられない方法であれば良く、例えば、半田付けや溶接、リベット或いはネジによる固定などを利用することができる。
【００２９】
また、図１に示す構成では、パネル１０の表示面側にＩＴＯなどからなる透明導電膜１９を設けている。この実施の形態１において、透明導電膜１９は、必ずしも必要ではない。しかし、画質に影響を及ぼさない程度の比較的薄い透明導電膜１９をパネル１０の表示面側に設け、導電シールド筐体２０と電気的に接続することにより、パネル１０の表示面からの比較的微弱な電磁波の漏れについてもこれを確実に電磁シールドすることが可能となる。なお、以下に説明する各実施の形態においても、パネル１０の表示面側に透明導電膜１９を採用すれば、同様に効果が得られる。
【００３０】
以上の説明においては、パネル１０と駆動回路基板１２との間に設けられる導電性材として保持板１６を利用しているが、導電性材は、パネル１０の保持機能を必ずしも有している必要はなく、パネル１０と駆動回路基板１２との間に配置された導電性材料であればよい。保持板１６が導電性材を兼用しない場合には、保持板１６とは別に金属板やＡｌ箔などの金属膜や、或いは金属蒸着した薄板状ガラスやマイラシートなどの導電性材をパネル１０と駆動回路基板１２との間に設ければよい。若しくは、パネル１０の非表示面側に金属蒸着膜を形成したり、導電性樹脂を塗布してもよい。
【００３１】
また、図１の表示装置１００から導電シールド筐体２０の外部に引き出される電源配線及び信号配線を伝わって、外部に漏れるノイズについては、ＬＣＲ回路等のノイズフィルタを電源配線及び信号配線の各配線における入出力部に設けることにより遮断することが可能である（後述する図６のノイズフィルタ４２参照）。
【００３２】
実施の形態２．
実施の形態１では、駆動回路基板１２を導電性材（保持板１６）と導電シールド筐体２０及び接続手段２２によって電磁シールドしているが、駆動回路基板１２から配線基板２５を介してノイズが漏れる場合がある。駆動回路基板１２とパネル１０とを接続する信号配線の本数は、例えば表示装置がＶＧＡ（video graphics array）級の解像度の場合、［（６４０×３）＋４８０］本以上存在する。よって、信号配線の一本一本にＬＣＲ回路を用いたノイズフィルタを設けることは困難である。
【００３３】
そこで、実施の形態２の表示装置では、図１及び図２に示す構成において、配線基板２５を介してノイズが漏れることを更に防止するため、配線基板として図３及び図４に示すような構成のＦＰＣ（flexible printed circuit）３０を用いる。図３は、ＦＰＣ３０の平面の概念的な構造を示し、図４は、図３のＡ−Ａ線に沿った断面を示している。また、図５は、実施形態２のＦＰＣ３０における等価回路を示している。
【００３４】
図３及び図４において、ポリイミドなどの絶縁層よりなる基板３５上には、信号配線３２が形成され、この信号配線３２が更にポリイミドなどの絶縁層３４によって覆われ、絶縁層３４の上に導電層３６が形成されている。また、絶縁層である基板３５の下面にも導電層３６が形成されている。つまり信号配線３２の上下両面には絶縁層（３４、３５）が形成され更にその上にはそれぞれ導電層３６が形成されている。また、この２層の導電層３６は、基板３５の端部に形成されたビアホール（via  hole）３８において互いに電気的に接続されている。
【００３５】
信号配線３２の上下両面の絶縁層３４及び基板３５を挟むように形成された導電層３６を形成することにより、図５に示す等価回路のように各信号配線３２との間には、静電容量４０がそれぞれ形成される。導電層３６は、例えば保持板１６や導電シールド筐体２０に電気的に接続してグランド電位とする、即ち、グランド電位に強制する。これにより、各信号配線３２とグランド電位を有する導電部との間に静電容量４０を有することとなる。
【００３６】
ＦＰＣ３０を以上のような構成とすることで、表示装置１００の等価回路は図６のようになる。即ち、図１及び図２に示される駆動回路基板１２を取り囲むように、導電シールド筐体２０、保持板１６及び接続手段２２によって構成されるシールドから、パネル１０へ接続される信号配線３２に、図６に示すように貫通コンデンサ５２を形成したことと等価になる。このため、駆動回路の出力インピーダンスとこの貫通コンデンサ５２とでローパスフィルタが形成され、駆動回路からパネル１０へ伝わる高周波ノイズ成分を静電容量４０を通じてグランドに排出することができる。
【００３７】
また、図７に示すように、ＦＰＣ３０に形成される上記導電層３６は、実施の形態１に示した接続手段２２の中継点としても利用することができる。このようにすると、図２に示す接続手段２２に加えて、配線基板２５の配置場所においても、保持板１６と導電シールド筐体２０とが、接続手段２２とは別の接続手段５０及び等価貫通コンデンサ５２により接続されることとなり、駆動回路基板１２を取り囲むシールド面にあく隙間がより小さくなってよりシールド効果が高まる。なお、この場合、保持板１６と導電シールド筐体２０を直接接続する接続手段２２は省略することも可能である。
【００３８】
更に、ＦＰＣ３０に導電層３６を設けることで、この導電層３６がＦＰＣ３０自体から外部に放射される電磁波をシールドする機能も備えることとなる。従って、一層シールド効果が向上する。
【００３９】
以上のようなＦＰＣ３０の構成としては、例えば次のような構成が適用可能である。
【００４０】
(i)ＦＰＣに形成する導電材料層を２層とし、一方を信号配線３２、他方をベタの導電層３６とし、間に絶縁層３４を形成する。つまり、導電層３６をＦＰＣ３０の片側のみ（信号配線３２の上）に形成する。
(ii)ＦＰＣに形成する導電材料層を三層とし、中央の導電材料層を信号配線３２とし、外側の層をベタの導電層３４とし、各導電材料層間に絶縁層を形成する（図４参照）。
(iii)上記(ii)の構造のＦＰＣの外側のベタの導電層をビアホールによって接続する（図４参照）。
(iv)上記(i)〜(iii)のベタの導電層に代えて網目状の導体層とする（ＦＰＣの柔軟性が向上して作業性が良くなる）。
(v)ＦＰＣの絶縁層の上に銅テープなどを貼り付け又は巻き付ける。
(vi)ＦＰＣの絶縁層の上に銅、アルミなど導電性の物質を蒸着、スパッタリング、イオンプレーティング法などによって形成する。
(vii)ＦＰＣの絶縁層の上に例えば銀ペーストなどの導電性材料を塗布する。
【００４１】
上述のようなＦＰＣ３０において、その導電層３４と、導電性の保持板１６及び導電シールド筐体２０とは、図７のように、接続手段２２とは別に設けた接続手段５０によって、それぞれ電気的に接続する。例えば、この接続手段５０として、コンタクトフィンガーなどを用い、これを保持板１６及び導電シールド筐体２０に取り付け、これを導電層３４に接続することによってそれぞれ接続することが可能である。また、導電層３４をグランド電位に強制する方法としては、ＦＰＣを、駆動回路基板と一体化したいわゆるリジットフレックス基板を駆動回路基板として用い、この駆動回路基板を介して導電層３４を接地するような方法を用いてもよい。
【００４２】
また、表面に導電材料が形成されたスポンジ或いはそれ自体が導電性を有するスポンジ状の部材など、少なくとも表面が導電性を有する可変形部材を用い、これを図８及び図９に示すように、この可変形部材５４をＦＰＣ３０と導電シールド筐体２０との間に挿入し、ＦＰＣ３０と保持板１６との間に挿入し、それぞれ電気的に接続しても良い。特に、図９に示されているように、導電性の可変形部材５４を導電シールド筐体２０とＦＰＣ３０との間に挿入すれば、導電性の保持板１６、導電シールド筐体２０及び接続手段２２によって形成されているシールドの間隙をこの可変形部材５４によって埋めることができるので、電磁シールドがより確実になる。また、変形自在であることから、衝撃やたわみなどによってＦＰＣ３０と保持板１６及び導電シールド筐体２０との距離が多少変化してもその距離の変化を吸収し、ＦＰＣ３０と保持板１６及び導電シールド筐体２２とを電気的に確実に接続することができる。なお、この可変形部材５４は、市販されているＥＭＩ対策用のシールド部材を利用することができる。
【００４３】
上記、ＦＰＣ３０としてはＦＰＣにかえて、ＦＦＣ（flexible flat cable）や、フラットケーブルなど他の接続手段を用いてもよい。また、導電層はグランド電位に強制することとしたが、必ずしもグランド電位でなくても変動しない一定の電位に強制すれば、同様の効果が得られる。
【００４４】
実施の形態３．
図６に示すように上述の実施の形態１及び２では、導電シールド筐体２０の外に引き出される電源や信号配線については、外部にノイズが漏れることを防止するために、入出力部にノイズフィルタ４２を設けている。実施の形態３では、上記実施の形態２によって得られるノイズ遮断効果を更に高める構成を備える。以下、図１０及び図１１に基づいて、この実施の形態３について説明する。
【００４５】
実施の形態３では、実施の形態２の構成に加え、図１０（ｃ）に示すように、導電シールド筐体２０の外部に延びる全ての電源・信号配線６４の入出力部にノイズフィルタ４２を設けると共に、各配線６４を覆うグランド配線６２の入出力部にもインダクタンス成分としてノイズフィルタ６０を設けるようにしている。
【００４６】
一般的に、導電シールド筐体２０から外部に引き出される電源・信号配線６４の入出力部にＥＭＩ対策を施すためには、図６及び図１０（ａ）に示すようにノイズフィルタ４２を挿入する。このノイズフィルタ４２は、電源・信号配線６４を伝わって外部に放出されるノイズをグランドに排出する役割を果たしており、ノイズ発生源６３に対して導電シールド筐体２０が完全に閉じていれば、導電シールド筐体２０及び外部配線を含めてノイズが外部に漏れる経路が遮断され、高いノイズの遮断効果が得られる。しかし、表示装置では、上述のように表示面を完全に覆うことができないため、ノイズの放出機構が完全に閉じた導電シールド筐体の場合とは異なり、ノイズフィルタ４２のみでは、十分なノイズの遮断効果が得られない場合がある。
【００４７】
このときのノイズ発生源から外部に放射されるまでのノイズ放射経路を、図１０（ｂ）に矢印で示す。ノイズ発生源６５からパネル１０の表示面側にわずかに漏れた高周波ノイズは、パネル１０の表示面を一方の極とし、導電シールド筐体２０と、この筐体２０から引き出される外部配線とを他方の極とする等価的なアンテナによって放出される。
【００４８】
この放射を抑制するためには、ノイズフィルタ４２を挿入することによってノイズをグランド配線に排出するのみでは効果が無く、グランド配線６２にもノイズが乗らないようにして、アンテナとしての効率を下げる必要がある。
【００４９】
そこで、実施の形態３では、図１０（ｃ）に示すようにグランド配線６２についても入出力部にノイズフィルタ６０を挿入し、電磁シールドをより確実なものとしている。
【００５０】
ノイズフィルタ６０は、例えば図１１（ａ）に示すように、グランド配線６２の入出力部と外部配線とを接続するコネクタ６８との間に挿入されたチョークコイル（例えばコモンモードチョークコイル）６０ａによって構成することができる。また、図１１（ｂ）に示すようにグランド配線６２の入出力部と外部配線とを接続するコネクタ６８との間にフィライトコア６０ｂを挿入し、グランド配線及び電源・信号配線にインダクタンス成分を持たせてもよい。
【００５１】
以上のように、導電シールド筐体２０から外部に延びる全ての各電源・信号配線６４の経路にノイズフィルタ４２を挿入すると共に、配線６４を電磁シールドするグランド配線６２の配線経路にもインダクタンス成分を挿入する。これによって、外部配線に起因したノイズの漏れをより確実に防止することができる。
【００５２】
実施の形態４．
図１２は、面放電交流（ＡＣ）型ＰＤＰの構成の概要を示し、図１３はＰＤＰの断面構成を示している。ＰＤＰにおいては、一対のガラス基板間にマトリクス状に複数の放電セルが形成されており、各放電セルは、一方のガラス基板に形成されるアドレス電極と、他方のガラス基板に形成されアドレス電極とこれと直交する方向に延びる維持電極対（維持電極Ｘ及び維持・走査電極Ｙ）との交差部にそれぞれ構成される。そして、アドレス電極Ａ（1〜j）にアドレスパルスを印加し、同時に維持・走査電極Ｙに走査パルスを印加することにより、交点の放電セルが選択され、その放電セルが放電して壁電荷を蓄積する。壁電荷を蓄積した後は、維持・走査電極Ｙと維持電極Ｘとに交互に極性が反転するように維持パルスを印加することで、維持・走査電極Ｙと維持電極Ｘとの間で維持放電を発生させ、放電を維持させる。アドレス電極上には蛍光体が形成されており、各放電セルにおける放電で発生する紫外線によって励起されて可視光を発生する。これにより、画像を表示する。
【００５３】
この様なＰＤＰにおいて、ガラスパネルにそれぞれ形成されている電極は互いに静電容量によって強く結合されており、高周波的には基板ごとに一枚の電極面と考えることができる。このため、図１０に示すノイズ源からの出力電圧は、各電極に印加する電圧の基板上における平均値と見なすことができる。
【００５４】
ここで、ＰＤＰの駆動パルスのうち、最もエネルギーが大きいのは維持電極Ｘ、維持・走査電極Ｙに交互に印加される維持パルスである。つまり、維持パルスの瞬時平均値が維持期間中一定になれば、図１０に示すノイズ源の高周波成分のエネルギが低減されることになり、結果として放射ノイズが低減される。
【００５５】
そこで、実施の形態４においては、維持電極Ｘ、維持・走査電極Ｙに交互に印加される維持パルスの全電極Ｘ、Ｙにおける平均値が維持期間中ほぼ一定となるようにする。
【００５６】
図１４は、実施の形態４に係るＰＤＰの駆動波形を示している。ＰＤＰでは、最初に共通電極である維持電極Ｘに印加されるプライミングパルスによって全画面において書き込み放電を行う。次に、アドレス電極にアドレスパネルを印加し、これと合わせて個別電極である維持・走査電極Ｙ（1〜n）に順次走査パルスを印加し、交点の放電セルに壁電荷を蓄積させる。維持期間においては、全ての維持・走査電極Ｙ（1〜n）と、維持電極Ｘとに交互に維持パルスを印加する。一般的に、維持電極Ｘ、維持・走査電極Ｙに印加する維持パルスは、維持電極Ｘ、維持・走査電極Ｙにおいて、一方が立ち下がった後で他方が立ち上がるように設定されているため、基板全面における電圧平均値は、維持電極Ｘ、維持・走査電極Ｙにそれぞれ維持パルスが印加される毎に大きく変化することとなりノイズの発生原因となり得る。
【００５７】
これに対して、図１４においては、維持パルスの立ち上がり立ち下がりのタイミングを維持・走査電極Ｙと維持電極Ｘで一致させることとしている。なお、図１４に拡大して示すように、立ち上がり立ち下がりのタイミングは、立ち上がり期間と立ち下がり期間がほぼ一致するように設定している。このように、維持電極Ｘ、維持・走査電極Ｙに印加する維持パルスの立ち上がり立ち下がりタイミングを一致させることにより、維持電極Ｘと維持・走査電極Ｙとの瞬時平均電圧は、図示するように維持期間中ほぼ一定とすることができる。なお、維持期間中において基板上の各維持・走査電極Ｙには同一の維持パルスを同時に印加するので、共通の維持電極Ｘと、各維持・走査電極Ｙとに印加する維持パルスの印加タイミングを図１４のように設定することにしても、駆動回路側でそのための特別な構成を設ける必要は少ない。
【００５８】
図１５は、維持期間中の維持電極Ｘ、維持・走査電極Ｙ間の瞬時平均電圧を平均するための別の駆動波形を示している。上記図１４に示す例では、矩形波、つまり２値パルスの維持パルスを維持電極Ｘ、維持・走査電極Ｙに交互に印加しているが、図１５は、維持パネルを２値パルスではなく多値（例えば３値）パルスとしている。多値パルスの立ち上がりタイミングと立ち下がりタイミングとは、図１４と同様に、維持電極Ｘと維持・走査電極Ｙとで一致させており、これにより維持電極Ｘ、維持・走査電極Ｙ間の瞬時平均値を一定としている。
【００５９】
維持パルスを多値パルスとすることにより、多少、立ち上がり・立ち下がりのタイミングがずれている場合であっても、維持電極Ｘ、維持・走査電極Ｙの瞬時電圧平均値の急激な変化を小さくすることが可能となる。電圧値の急激な変化は、高周波ノイズの原因となりやすいことから、図１５に示すように維持パルスとして多値パルスを用いることにより高周波ノイズの発生をより確実に防止することができる。
【００６０】
以上のように全ての維持電極Ｘ、維持・走査電極Ｙにおける瞬時平均値が維持期間中一定となるように駆動することにより、ノイズ源の高周波成分のエネルギが等価的に低減され、放射ノイズが低減する。また、上述の各実施の形態に示す電磁シールドのための構成において、この実施の形態４のような駆動方法を採用することにより、表示装置の電磁波遮蔽能力を一層高めることが可能となる。
【００６１】
【発明の効果】
以上のように、この発明によれば、プラズマディスプレイパネルにおいて、一対の維持電極における瞬時平均電圧が放電維持期間において一定となるように駆動することで、ノイズの発生を減らすことができる。
【００６２】
また、上記一対の維持電極の一方に印加する維持パルスの立ち上がりタイミングと、他方に印加する維持パルスの立ち下がりタイミングを一致させれば、確実に一対の維持電極における瞬時平均電圧を一定に保つことができる。
【００６３】
また、この発明によれば、導電シールド筐体と導電性材とこれらを接続する接続手段により、駆動回路を確実に電磁シールドすることができる。従って、パネルの表示面側での電磁シールド材を省略することも可能であり、表示品質を低下させることなく、電磁シールドすることが可能である。
【００６４】
また、信号配線とグランド電位を有する導電部との間に静電容量を有する構成とすることにより、信号配線を介して駆動回路で発生するノイズがパネルに伝わってパネルの表示面側からノイズが漏れることを防止できる。
【００６５】
また、信号配線上に絶縁層を形成し、この絶縁層上に導電層を形成し、導電層をグランド電位とすることにより、信号配線毎に静電容量素子を接続することなく信号配線とグランド電位を有する導電部との間に静電容量を持たせることができ、回路の実現が容易となる。
【００６６】
また、信号配線とで静電容量を構成する導電層を接続手段によって導電シールド筐体に接続すれば、この導電層が電気的に浮くことなく、導電層を確実にグランド電位とすることが可能となる。
【００６７】
更に、信号配線の上下両面を覆う絶縁層の上にそれぞれ導電層を形成し、この導電層を例えば導電シールド筐体に接続することによってグランド電圧を印加すれば、信号配線自体からのノイズの放射も防止できる。
【００６８】
また、上記信号配線の上下両面を絶縁層で覆い、各絶縁層上にそれぞれ導電層を形成する。そして、この導電層の内、駆動回路と前記ディスプレイパネルとの間に配置された導電性材側に配置される導電層を前記導電性材に接続する。一方、導電シールド筐体側に配置される導電層は導電シールド筐体に接続する。このようにする事により、導電層が接続手段の中継点となり、駆動回路を取り囲むシールド面にあく間隙がより小さくなって、シールド効果が高まる。
【００６９】
可変形部材によって上記信号配線の上下両面の導電層を導電シールド筐体などに接続すれば、駆動回路のシールド面の隙間を小さくでき、信号配線を介してパネルにノイズが伝わることとを防止すると共に、信号配線自体からのノイズの放射をより確実に防止できる。
【００７０】
また、この発明では、電源配線や信号配線の経路にノイズフィルタを挿入し、更に、これの配線を電磁シールドするためのグランド配線の経路にもインダクタンス成分を設ける。これにより、パネルの表示面側を完全に導電シールド筐体で囲むことができなくても、シールドから外部へ延びるグランド配線と、パネルとをアンテナとするノイズの放射を確実に防止できる。
【００７１】
なお、上述のような構成に加え、ディスプレイパネルの表示面に、表示品質に悪影響を与えない程度の薄さや材質の透明導電層を形成すれば、より確実に表示装置を電磁シールドすることができる。
【図面の簡単な説明】
【図１】この発明の実施の形態１の表示装置の断面概略構成を示す図である。
【図２】図１の表示装置の平面概略構成を示す図である。
【図３】実施の形態２の表示装置の配線基板の構造を示す図である。
【図４】図３のＡ−Ａ線に沿ったＦＰＣ３０の断面構造を示す図である。
【図５】実施の形態２のＦＰＣ３０の等価回路を示す図である。
【図６】実施の形態２の表示装置の構成を示す図である。
【図７】実施の形態２の表示装置の断面概略構成を示す図である。
【図８】実施の形態２の表示装置の他の構成を示す概略断面図である。
【図９】図８の表示装置の平面概略構成を示す図である。
【図１０】実施の形態３の表示装置と外部配線との電気的な関係を説明する図である。
【図１１】実施の形態３の表示装置の例を説明する図である。
【図１２】面放電ＡＣ型ＰＤＰの構成の概要を示す図である。
【図１３】ＰＤＰの断面構成を示している。
【図１４】実施の形態４に係るＰＤＰ駆動波形を示す図である。
【図１５】実施の形態４に係る他のＰＤＰ駆動波形を示す図である。
【図１６】従来の表示装置の断面概略構成を示す図である。
【符号の説明】
１０  パネル（ＰＤＰ）、１６  保持板（導電部材）、１９  透明導電膜、２０  導電シールド筐体、２２，５０  接続手段、２５，３０  配線基板、３２  信号配線、３４，３５  絶縁層、３６  導電層、３８  ビアホール、４０  静電容量、４２  ノイズフィルタ、５２  貫通コンデンサ、５４  可変形部材、６０  ノイズフィルタ（インダクタンス成分）、６０ａ  チョークコイル（インダクタンス成分）、６０ｂ  フェライトコア（インダクタンス成分）、６２  グランド配線、６３，６５  ノイズ発生源、６４  電源・信号配線、６８  コネクタ、１００  表示装置。